(57)【要約】      （修正有）【課題】架空ドロップ光ファイバケーブルの取り付け状況にかかわらず、可撓性を有する電気絶縁性材料で管状に形成され、その長手方向に割れ目が設けられ、その割れ目から光ファイバケーブルを挿入し、管内に収納する半割可撓防護管を連続的かつ簡単・確実に装着することを容易にする。【解決手段】本件治具１先端に設けられた防護管挿入口２に半割可撓防護管３０を、光ケーブル挿入口３に光ファイバケーブル２０をそれぞれ挿入し、本件治具１を先端方向に移動させることにより、半割可撓防護管３０は、防護管挿入口２から治具内に導入され、本件治具の先端部または内部に設けられた開口部材５により、その割れ目３１が押し広げられた状態になる。一方、光ファイバケーブル２０は、光ケーブル挿入口３から導入され、治具内に設けられた押し込み部材４により、上記で押し広げられた半割可撓防護管３０の割れ目３１から防護管に挿入され、防護管内に収納される。【選択図】図４
2007310028.tif 000002
【特許請求の範囲】
【請求項１】
半割可撓防護管内部に光ファイバケーブルを挿入するための治具であって、先端部に防護管挿入口及び光ケーブル挿入口を有するとともに、当該治具を先端方向に移動させたときに、防護管導入口から導入された半割可撓防護管の割れ目を押し広げる開口部材と当該開口部材により押し広げられた割れ目から光ファイバケーブルを防護管内に挿入させる押し込み部材を有することを特徴とする半割可撓防護管装着治具
【発明の詳細な説明】
【技術分野】
【０００１】
架空ドロップ光ファイバケーブルに、光ファイバケーブルを防護するための半割可撓防護管を装着するための治具に関する。
【背景技術】
【０００２】
架空ドロップ光ファイバケーブルの屈曲箇所、例えば、電柱上の引き留め部において、光ファイバケーブルを半割可撓防護管に収納し、電柱との接触による衝撃あるいは擦れから架空ドロップ光ファイバケーブルの損傷を防止する方法として、半割可撓防護管を用いること、及び、防護管を光ファイバケーブルに装着するための取り付け工具、取り付け装置が既に知られている。
【特許文献１】特開２００５−２７５１２４号
【発明の開示】
【発明が解決しようとする課題】
【０００３】
図６及び図７は、特開２００５−２７５１２４号に記載された防護管取付工具である。
【０００４】
前記工具は、いずれも単に防護管の割れ目を押し広げられた状態で保持する構造に過ぎず、取付作業者は、光ファイバケーブルを当該押し広げられた割れ目から防護管内に挿入し、光ファイバケーブルが防護管から再び飛び出さないように注意しながら、防護管取付工具を移動し、防護管の割れ目を閉じなければならず、作業効率が低いという課題がある。
【０００５】
また、図７の取付装置は、新たに架空ドロップ光ファイバケーブルを地上から繰り出して敷設する場合にしか用いることができない。
【０００６】
本発明は、上記の課題を解決するためになされたものであり、架空ドロップ光ファイバケーブルの取り付け状況にかかわらず、治具を一定方向に移動させるだけで、半割可撓防護管を光ファイバケーブルに連続的かつ簡単・確実に装着することを目的とする。
【課題を解決するための手段】
【０００７】
上記目的を達成するため、請求項１の発明は、半割可撓防護管３０の内部に光ファイバケーブル２０を挿入するための装着治具１であって、その一端（先端）に防護管挿入口２及び光ケーブル挿入口３を有するとともに、当該治具１を先端方向に移動させたときに、防護管導入口２から導入された半割可撓防護管３０の割れ目３１を押し広げる開口部材５と当該開口部材により押し広げられた割れ目３１から光ファイバケーブル２０を防護管３０内に挿入させる押し込み部材４を有することを特徴とする。
【発明の効果】
【０００８】
本発明によれば、架空ドロップ光ファイバケーブルの取り付け状況にかかわらず、装着作業者が治具を一定方向に移動させるだけで、半割可撓防護管を光ファイバケーブルに連続的かつ簡単・確実に装着することができ、作業効率を向上させることができる。
【発明を実施するための最良の形態】
【０００９】
以下、本発明の実施形態を図面を用いて説明する。
【００１０】
尚、本発明が以下の実施形態に限定されないことは言うまでもない。
【００１１】
図１〜５は、本発明の実施形態に係る半割可撓防護管装着治具を示す各図面である。
【００１２】
本件装着治具の使用方法は、以下のとおりである。
【００１３】
図１に示す本件治具１の先端に設けられた光ケーブル挿入口３に光ファイバケーブル２０を、ケーブルカバー挿入口２に半割可撓防護管３０をそれぞれ装着治具１内に挿入する。その際、防護管３０の割れ目３１に開口部材５が挿入されるように防護管３０の位置決めをする。
【００１４】
装着作業者が本件治具１を先端部方向にスライドさせると、防護管３０は開口部材５で割れ目３１が開口されながら本件治具１の内部に導入され、図２に示す本件治具１の後端の排出口６から排出される。
【００１５】
他方、光ファイバケーブル２０は、本件治具１が先端方向にスライドされると、先端の光ケーブル挿入口３から本件治具１内に導入され、図３に示すように本件治具内部の押し込み部材４の誘導で、開口部材５で開口された防護管３０の割れ目３１の方向に誘導され、防護管３０の内部に挿入される。
【００１６】
開口部材５は、光ファイバケーブル２０が防護管３０に挿入された後に、防護管３０の割れ目３１を閉口するようにその形状が設計されており、防護管３０は、内部に光ファイバケーブル２０を確保したまま、その割れ目３１を閉口し、本件治具１の後端に設けられた排出口６から排出される。
【００１７】
図４は、以上で説明した装着時状況を模式的に示したものである（防護管３０は先端方向に続いているが省略している。）。
【００１８】
上記のように、装着作業者は、本件治具１を先端方向にスライドするだけで、光ファイバケーブル２０を連続的かつ簡単・確実に防護管３０内に挿入する。
【００１９】
ところで、既設の架空ドロップ光ファイバケーブル２０に防護管３０を取り付ける場合、光ファイバケーブル２０や防護管３０を光ケーブル挿入口３や防護管挿入口２から導入することができない。
【００２０】
そこで、光ファイバケーブル２０や防護管３０に本件治具１を取り付けるために、実施例の本件治具１は図１に示すように１１〜１２の３つの構成部材から構成されている。
【００２１】
すなわち、第１に、装着する防護管３０の割れ目３１に構成部材１２の開口部材５を挿入し、上記割れ目３１が開口した状態で構成部材１３を構成部材１２に装着する。
【００２２】
その後、光ファイバケーブル２０を構成部材１１に設けられた光ケーブル挿入口３に挿入した後、構成部材１１を構成部材１２に装着し、本件治具１が完成する。
【００２３】
この状態で、取付作業者が本件治具１をしっかりと握った状態で、先端方向にスライドさせると後端部の排出口６から光ファイバケーブルが挿入された防護管３０が排出され、光ファイバケーブル２０に防護管３０が連続的に装着される。
【００２４】
光ファイバケーブル２０の防護管３０を取り付けたい部分の終端まで防護管３０を装着したら、上記手順と反対の手順で本件治具１を分解し、装着作業を終了させることができる。
【００２５】
以上のとおり、本件治具１を上記のような分割構成とすることによって、架空ドロップ光ファイバケーブル２０の取付状況にかかわらず、半割可撓防護管３０を任意の箇所から任意の箇所まで自在に装着することができる。
【００２６】
尚、本件治具１を分割できる構成にする場合であっても、３分割であることは必須ではなく、光ファイバケーブルの敷設状況に合わせてその構成を適宜変更することが可能であり、例えば、左右に２分割されるものや４分割にされるものであってもよい。
【００２７】
さらに、本件治具１を図５に示すように、３つの構成部材をヒンジ１４，１５で連結した構造にすることによって、本件治具１を構成する３つの構成部材は一体となるから、取付作業中に作業者が本件治具１の構成部材の一部を落とす等の事故を防止でき、さらに作業性が向上する。
【００２８】
また、本件治具１の大きさや形にも特に制限はないが、取付作業者が片手で握持できる俵型にすることで、取付作業を片手で行うことができ、他方の手で防護管を手繰るなどの作業を行うことができ、さらに作業性が向上する。
【図面の簡単な説明】
【００２９】
【図１】実施例の正面図（先端部）
【図２】実施例の背面図
【図３】実施例の使用時の光ファイバケーブルと半割可撓防護管の状態を示す図１のＡ−Ａ断面図
【図４】実施例の使用時の状態を示す斜視図
【図５】実施例の展開図      (a)  展開正面図       (b)  展開背面図       (c)  展開上面図
【図６】従来発明
【図７】従来発明
【符号の説明】
【００３０】
１：装着治具、２：防護管挿入口、３：光ファイバケーブル挿入口、４：押し込み部材、５：開口部材、６：排出口、１１・１２・１３：装着治具構成部材、１４・１５：ヒンジ、２０：光ファイバケーブル、３０：半割可撓防護管、３１：割れ目
【図１】
2007310028.tif 000003
【図２】
2007310028.tif 000004
【図３】
2007310028.tif 000005
【図４】
2007310028.tif 000006
【図５】
2007310028.tif 000007
【図６】
2007310028.tif 000008
【図７】
2007310028.tif 000009